(57)【要約】【課題】一つのデバイスで再生中である内容と同じ内容で他のデバイスでも再生されるようにする再生同期化方法及びこれを適用したデバイスを提供すること。【解決手段】再生同期化方法及びこれを適用したデバイスが提供される。本再生同期化方法は、第１デバイスが、時間の経過によるコンテンツ再生情報に応じてコンテンツを再生し、第２デバイスもコンテンツ再生情報に応じた再生ができるように第２デバイスにコンテンツ再生情報を送信する。これにより、一つのデバイスで再生中である内容が他のデバイスでも同様に現れるようになる。【選択図】図２
2011045086.tif 000002
【特許請求の範囲】
【請求項１】
第１デバイスが、時間の経過によるコンテンツ再生情報を格納するステップと、
前記第１デバイスが、前記格納されたコンテンツ再生情報に応じて、前記コンテンツを再生するステップと、
前記第２デバイスも前記コンテンツ再生情報に応じた再生ができるように、前記第１デバイスが前記第２デバイスに前記コンテンツ再生情報を送信するステップと、
を含むことを特徴とする再生同期化方法。
【請求項２】
前記コンテンツ再生情報に応じた再生に必要な前記コンテンツ又は前記コンテンツの位置情報を、前記第１デバイスが前記第２デバイスに送信するステップをさらに含むことを特徴とする請求項１に記載の再生同期化方法。
【請求項３】
操作命令が入力されると、前記第１デバイスが前記入力された操作命令に従って前記コンテンツを再生するステップと、
前記第２デバイスも前記操作命令に応じた再生ができるように、前記第１デバイスが前記第２デバイスに前記操作命令を送信するステップと、
をさらに含むことを特徴とする請求項１に記載の再生同期化方法。
【請求項４】
前記再生ステップが行われるうちに、前記第２デバイスも前記コンテンツ再生情報に応じる前記コンテンツ再生を行うことを特徴とする請求項１に記載の再生同期化方法。
【請求項５】
前記再生ステップを行ううちに、外部デバイスからコンテンツが入力されると、前記第１デバイスが前記入力されたコンテンツを現在再生中であるコンテンツと共に再生するステップと、
前記第２デバイスも前記入力されたコンテンツを現在再生中であるコンテンツと共に再生できるように、前記第１デバイスが前記第２デバイスに前記入力されたコンテンツを送信するステップと、
をさらに含むことを特徴とする請求項１に記載の再生同期化方法。
【請求項６】
前記コンテンツ削除命令が入力されると、前記第２デバイスが前記削除命令に従って前記コンテンツを削除するように、前記第１デバイスが前記第２デバイスに前記削除命令を送信するステップをさらに含むことを特徴とする請求項１に記載の再生同期化方法。
【請求項７】
前記コンテンツ削除命令が入力されると、前記第１デバイスが前記入力された削除命令に従って前記コンテンツを削除するステップをさらに含むことを特徴とする請求項６に記載の再生同期化方法。
【請求項８】
前記第１デバイス及び第２デバイスがデジタルフォトフレームである場合、
前記コンテンツは、前記デジタルフォトフレームで再生される写真コンテンツ又は動画コンテンツであることを特徴とする請求項１に記載の再生同期化方法。
【請求項９】
前記第１デバイス及び第２デバイスが電子書籍（ｅ−ｂｏｏｋ）である場合、
前記コンテンツは、前記電子書籍で再生されるテキストコンテンツであることを特徴とする請求項１に記載の再生同期化方法。
【請求項１０】
前記第１デバイス及び第２デバイスが大型ディスプレイ（Ｌａｒｇｅ  Ｆｏｒｍａｔ  Ｄｉｓｐｌａｙ：ＬＦＤ）である場合、
前記コンテンツは、前記大型ディスプレイで再生される広告コンテンツであることを特徴とする請求項１に記載の再生同期化方法。
【請求項１１】
デバイス間のコンテンツ再生を同期化する再生同期化デバイスであって、
時間の経過によるコンテンツ再生情報を格納する格納部と、
前記格納されたコンテンツ再生情報に応じて、前記コンテンツを再生するコンテンツ再生部と、
他のデバイスが前記コンテンツ再生情報に応じた再生ができるように、前記他のデバイスに前記コンテンツ再生情報を送信するネットワークインターフェースと、
を含むことを特徴とする再生同期化デバイス。
【請求項１２】
前記ネットワークインターフェースは、
前記コンテンツ再生情報に応じた再生に必要な前記コンテンツ又は前記コンテンツの位置情報を、前記他のデバイスに送信することを特徴とする請求項１１に記載の再生同期化デバイス。
【請求項１３】
第１デバイスと第２デバイスとの間のコンテンツ再生を同期化する再生同期化システムであって、
時間の経過によるコンテンツ再生情報を格納し、前記格納された前記コンテンツ再生情報に応じて、前記コンテンツを再生し、前記第２デバイスが前記コンテンツ再生情報に応じた再生ができるように、前記第２デバイスに前記コンテンツ再生情報を送信する第１デバイスと、
前記第１デバイスとコンテンツ再生を同期化する第２デバイスと
を備える再生同期化システム。
【請求項１４】
前記第１デバイスは、
前記コンテンツ再生情報に応じた再生に必要な前記コンテンツ又は前記コンテンツの位置情報を、前記第２デバイスに送信することを特徴とする請求項１３に記載の再生同期化システム。
【発明の詳細な説明】
【技術分野】
【０００１】
本発明は、コンテンツ再生方法及びこれを適用したデバイスに関し、さらに詳細には、複数のデバイスを介してコンテンツを再生する方法及びこれを適用したデバイスに関する。
【背景技術】
【０００２】
多様なデジタルデバイスの登場により、ユーザが保有しているデジタルデバイスも多くなるようになった。ユーザは、デジタルデバイスに埋もれて生きているといっても過言ではないだろう。
【０００３】
このような、多様なデジタルデバイスは、ユーザの生活を便利かつ豊かにするのに寄与した。そして、近来になってさらに加速化したデジタルデバイスの高性能化と多機能化は、その寄与度を一層向上させた。
【０００４】
それにも拘わらず、ユーザは、より便利で豊かな生活を追求し、その解決方法をデジタルデバイスがより高性能化し多機能化することから見出そうとしている。
【０００５】
しかしながら、デジタルデバイスが単独に行う機能には限界がある。そのため、ユーザが保有しているデジタルデバイスが相互融合して機能することで、デジタルデバイスが単独に行えない新しい機能が創出されるようにして、ユーザの生活をより便利で豊かにするための方策の摸索が求められる。
【先行技術文献】
【特許文献】
【０００６】
【特許文献１】韓国特許第０７４６０４８号
【特許文献２】韓国特許第０５７０５０４号
【特許文献３】韓国特開第２００７−０００７６３２号公報
【特許文献４】韓国特許第０４５７９１号
【発明の概要】
【発明が解決しようとする課題】
【０００７】
そこで、本発明は、上記問題に鑑みてなされたものであり、本発明の目的とするところは、一つのデバイスで再生中である内容と同じ内容で他のデバイスでも再生されるようにする再生同期化方法及びこれを適用したデバイスを提供することにある。
【課題を解決するための手段】
【０００８】
上記課題を解決するために、本発明のある観点によれば、再生同期化方法は、第１デバイスが、時間の経過によるコンテンツ再生情報を格納するステップと、前記第１デバイスが、前記格納されたコンテンツ再生情報に応じて、前記コンテンツを再生するステップと、前記第２デバイスも前記コンテンツ再生情報に応じた再生ができるように、前記第１デバイスが前記第２デバイスに前記コンテンツ再生情報を送信するステップとを含む。
【０００９】
そして、本再生同期化方法は、前記コンテンツ再生情報に応じた再生に必要な前記コンテンツ又は前記コンテンツの位置情報を、前記第１デバイスが前記第２デバイスに送信するステップをさらに含むことができる。
【００１０】
また、本再生同期化方法は、操作命令が入力されると、前記第１デバイスが前記入力された操作命令に従って前記コンテンツを再生するステップと、前記第２デバイスも前記操作命令に応じた再生ができるように、前記第１デバイスが前記第２デバイスに前記操作命令を送信するステップとをさらに含むことができる。
【００１１】
そして、前記再生ステップが行われるうちに、前記第２デバイスも前記コンテンツ再生情報に応じる前記コンテンツ再生を行うことが好ましい。
【００１２】
そして、前記再生ステップを行ううちに、外部デバイスからコンテンツが入力されると、前記第１デバイスが前記入力されたコンテンツを現在再生中であるコンテンツと共に再生するステップと、前記第２デバイスも前記入力されたコンテンツを現在再生中であるコンテンツと共に再生できるように、前記第１デバイスが前記第２デバイスに前記入力されたコンテンツを送信するステップとをさらに含むことができる。
【００１３】
そして、本再生同期化方法は、前記コンテンツ削除命令が入力されると、前記第２デバイスが前記削除命令に従って前記コンテンツを削除するように、前記第１デバイスが前記第２デバイスに前記削除命令を送信するステップをさらに含むことができる。
【００１４】
また、本再生同期化方法は、前記コンテンツ削除命令が入力されると、前記第１デバイスが前記入力された削除命令に従って前記コンテンツを削除するステップをさらに含むことができる。
【００１５】
そして、本再生同期化方法は、前記第１デバイス及び第２デバイスがデジタルフォトフレームである場合、前記コンテンツは、前記デジタルフォトフレームで再生される写真コンテンツ又は動画コンテンツでありうる。
【００１６】
また、本再生同期化方法は、前記第１デバイス及び第２デバイスが電子書籍（ｅ−ｂｏｏｋ）である場合、前記コンテンツは、前記電子書籍で再生されるテキストコンテンツでありうる。
【００１７】
そして、前記第１デバイス及び第２デバイスが大型ディスプレイ（Ｌａｒｇｅ  Ｆｏｒｍａｔ  Ｄｉｓｐｌａｙ：ＬＦＤ）である場合、前記コンテンツは、前記大型ディスプレイで再生される広告コンテンツでありうる。
【００１８】
また、上記課題を解決するために、本発明の別の観点によれば、デバイス間のコンテンツ再生を同期化する再生同期化デバイスは、時間の経過によるコンテンツ再生情報を格納する格納部と、前記格納されたコンテンツ再生情報に応じて、前記コンテンツを再生するコンテンツ再生部と、他のデバイスが前記コンテンツ再生情報に応じた再生ができるように、前記他のデバイスに前記コンテンツ再生情報を送信するネットワークインターフェースを含む。
【００１９】
また、前記ネットワークインターフェースは、前記コンテンツ再生情報に応じた再生に必要な前記コンテンツ又は前記コンテンツの位置情報を、前記他のデバイスに送信することができる。
【００２０】
また、上記課題を解決するために、本発明の別の観点によれば、第１デバイスと第２デバイスとの間のコンテンツ再生を同期化する再生同期化システムは、時間の経過によるコンテンツ再生情報を格納し、前記格納された前記コンテンツ再生情報に応じて、前記コンテンツを再生し、前記第２デバイスが前記コンテンツ再生情報に応じた再生ができるように、前記第２デバイスに前記コンテンツ再生情報を送信する第１デバイスと、前記第１デバイスとコンテンツ再生を同期化する第２デバイスとを備える。
【００２１】
また、前記第１デバイスは、前記コンテンツ再生情報に応じた再生に必要な前記コンテンツを、前記第２デバイスに送信することができる。
【発明の効果】
【００２２】
以上説明したように、本発明によれば、一つのデバイスで再生中である内容が他のデバイスでも同様に現れるようになる。これにより、デバイスの使用法を知っているユーザのデバイスの再生内容が、デバイスの使用法を知らないユーザのデバイスにも同様に現れるようになって、デバイスの使用法を知らないユーザも自身のデバイスを介してコンテンツを鑑賞できるようになる。
【図面の簡単な説明】
【００２３】
【図１】本発明の一実施の形態に係る、遠隔に位置したデジタルフォトフレームが再生同期化を行う過程の説明に提供される図である。
【図２】本発明の他の実施の形態に係る、遠隔に位置したデジタルフォトフレームが再生同期化を行う過程の説明に提供される図である。
【図３】タイムラインの一例を示す図である。
【図４】携帯電話を利用したテキストコンテンツ生成の説明に提供される図である。
【図５】携帯電話を利用したオーディオコンテンツ生成の説明に提供される図である。
【図６】デジタルフォトフレームの詳細ブロック図である。
【図７】携帯電話の詳細ブロック図である。
【発明を実施するための形態】
【００２４】
以下に添付図面を参照しながら、本発明の好適な実施の形態について詳細に説明する。また、以下では、説明の便宜上、デバイスがデジタルフォトフレームであると例に挙げて説明しているが、本発明は、これに限定されず、デバイスが電子書籍又はデバイスが大型ディスプレイ（Ｌａｇｒｅ  Ｆｏｎｍａｔ  Ｄｉｓｐｌａｙ：ＬＦＤ）である場合にも適用されうることはもちろんである。
【００２５】
＜１．操作命令の共有によるデジタルフォトフレームの再生同期化＞
図１は、本発明の一実施の形態に係る、遠隔に位置したデジタルフォトフレームが再生同期化を行う過程の説明に提供される図である。ここで、再生同期化とは、複数のデジタルフォトフレームがリアルタイムで同じコンテンツを再生する状態を意味する。
【００２６】
特に、図１では、何れか一つのデジタルフォトフレームで入力された操作命令をすべてのデジタルフォトフレームが共有して再生同期化が行われることを想定しており、以下詳細に説明する。
【００２７】
図１に示すように、まずユーザによりマスターデジタルフォトフレーム１１０に再生同期化命令が入力されると（Ｓ２０５−Ｙ）、マスターデジタルフォトフレーム１１０は、スレーブデジタルフォトフレーム１２０と通信できるように接続を設定する（Ｓ２１０）。
【００２８】
ステップＳ２１０での接続設定が完了すると、マスターデジタルフォトフレーム１１０は、ユーザからコンテンツ再生と関連した操作命令を入力される（Ｓ２１５）。
【００２９】
ステップＳ２１５にて入力されるコンテンツ再生関連操作命令は、１）選択されたコンテンツ再生命令、２）再生一時停止命令、３）再生停止命令、４）次のコンテンツ再生命令及び５）以前コンテンツ再生命令、６）コンテンツ転換時の視覚効果設定／編集命令などが含まれる。
【００３０】
選択されたコンテンツ再生は、ａ）一種類のコンテンツのみを再生することはもちろん、ｂ）他の種類のコンテンツを共に再生することを含む。
【００３１】
「ａ）」の例として、ａ１）写真コンテンツのみを再生、又はｂ）動画コンテンツのみを再生する場合を例に挙げることができる。
【００３２】
「ｂ）」の例として、ｂ１）写真コンテンツとオーディオコンテンツとを共に再生、ｂ２）写真コンテンツとテキストコンテンツとを共に再生、ｂ３）オーディオコンテンツとテキストコンテンツとを共に再生、又はｂ４）写真コンテンツ、オーディオコンテンツ及びテキストコンテンツを共に再生する場合を例に挙げることができる。
【００３３】
ここで、テキストコンテンツは、ｃ１）写真コンテンツに対する付加説明のためのテキストが収録されたコンテンツ、及びｃ２）オーディオコンテンツに対する付加説明や歌詞が収録されたコンテンツなどになりうる。そして、テキストコンテンツに収録されるテキストの内容は、ユーザにより生成されたものでありうる。
【００３４】
また、オーディオコンテンツは、ｄ１）音楽コンテンツ及びｄ２）写真コンテンツに対する付加説明のための音声が収録されたコンテンツなどになりうる。後者における音声の内容は、ユーザにより生成されたものでありうる。
【００３５】
ステップＳ２１５にてコンテンツ再生関連操作命令が入力されると（Ｓ２１５−Ｙ）、マスターデジタルフォトフレーム１１０は、入力されたコンテンツ再生関連操作命令とこの操作命令の実行に必要なコンテンツをスレーブデジタルフォトフレーム１２０に送信する（Ｓ２２０）。
【００３６】
ステップＳ２２０にて送信されるコンテンツは、ステップＳ２１５にて入力された操作命令に応じて異なり、具体的には以下のとおりである。
【００３７】
１）ステップＳ２１５にて選択された一つのコンテンツに対してのみ再生命令が入力された場合、ステップＳ２２０にて送信されるコンテンツは、選択された一つのコンテンツ。
【００３８】
２）ステップＳ２１５にて選択された他の種類のコンテンツに対して共に再生命令が入力された場合、ステップＳ２２０にて送信されるコンテンツは、選択された他の種類のコンテンツ。
【００３９】
３）ステップＳ２１５にて次のコンテンツ再生命令が入力された場合、ステップＳ２２０にて送信されるコンテンツは、次のコンテンツ。
【００４０】
一方、ステップＳ２１５にて再生一時停止命令、再生停止命令、以前コンテンツ再生命令、コンテンツ転換時の視覚効果設定／編集命令が入力された場合、ステップＳ２２０にてコンテンツは送信されずに、操作命令のみが送信される。
【００４１】
ステップＳ２２０にてマスターデジタルフォトフレーム１１０とスレーブデジタルフォトフレーム１２０との間の操作命令＆コンテンツの送信が完了すると、マスターデジタルフォトフレーム１１０は、ステップＳ２１５にて入力された操作命令を行う（Ｓ２２５）。
【００４２】
そして、ステップＳＳ２２５が行われるうちに、スレーブデジタルフォトフレーム１２０もＳ２２０にて受信した操作命令を行う（Ｓ２３０）。
【００４３】
ステップＳ２２５とＳ２３０にて、マスターデジタルフォトフレーム１１０とスレーブデジタルフォトフレーム１２０では、同じ内容の再生が行われるので、両者のコンテンツ再生が同期化されたといえる。
【００４４】
このような、同期化された再生中に、スレーブデジタルフォトフレーム１２０のユーザによりスレーブデジタルフォトフレーム１２０にコンテンツ再生関連操作命令が入力されると（Ｓ２３５−Ｙ）、スレーブデジタルフォトフレーム１２０は、入力されたコンテンツ再生関連操作命令をマスターデジタルフォトフレーム１１０に送信する（Ｓ２４０）。
【００４５】
ステップＳ２４０にてスレーブデジタルフォトフレーム１２０とマスターデジタルフォトフレーム１１０との間の操作命令の送信が完了すると、スレーブデジタルフォトフレーム１２０は、ステップＳ２３５にて入力された操作命令を行う（Ｓ２４５）。
【００４６】
そして、ステップＳＳ２４５が行われるうちに、マスターデジタルフォトフレーム１１０もステップＳ２４０にて受信した操作命令を行う（Ｓ２５０）。
【００４７】
これにより、マスターデジタルフォトフレーム１１０とスレーブデジタルフォトフレーム１２０とは、両方向の再生同期化を行うようになる。
【００４８】
一方、デバイスが電子書籍である場合、デバイス間に電子書籍で再生されるテキストコンテンツの同期化が行われることができ、デバイスが大型ディスプレイ（ＬＦＤ）である場合、デバイス間に大型ディスプレイで再生される広告コンテンツの同期化が行われうる。
【００４９】
＜２．タイムライン共有を介したデジタルフォトフレームの再生同期化＞
図２は、本発明の他の実施の形態に係る、遠隔に位置したデジタルフォトフレームが再生同期化を行う過程の説明に提供される図である。図２での再生同期化は、タイムラインをデジタルフォトフレームが共有する方式により行われることを想定しており、以下詳細に説明する。
【００５０】
図２に示すように、マスターデジタルフォトフレーム１１０を利用してユーザによりタイムラインが生成されると（Ｓ３０５）、マスターデジタルフォトフレーム１１０は、ステップＳ３０５にて生成されたタイムラインを格納する（Ｓ３１０）。
【００５１】
タイムラインとは、コンテンツの再生順序及び再生間隔などがコンテンツの種類毎に設定されたコンテンツの再生と関わり、時間の経過によるコンテンツ再生情報（ｐｒｏｊｅｃｔ  ｆｉｌｅ）の一種に該当する。図３には、タイムラインの一例を示した。
【００５２】
図３に示すタイムラインは、写真コンテンツ、オーディオコンテンツ及びテキストコンテンツを組み合わせて混合再生できるようにしたタイムラインである。さらに具体的に説明すると、図３に示すタイムラインは、
１）ビデオ効果として、写真−１（Ｐ１）→写真−２（Ｐ）→写真−３（Ｐ３）→．．．→写真−１００（Ｐ１００）が再生され、
２）字幕効果として、写真−１（Ｐ１）の再生時にテキスト−１（Ｔ１）が、写真−３（Ｐ３）の再生時にテキスト−３（Ｔ３）が、．．．、写真−１００（Ｐ１００）の再生時にテキスト−１００（Ｔ１００）がそれぞれ共に再生され、
３）オーディオ効果として、写真−２（Ｐ２）の再生時にオーディオ−２（Ａ２）が、．．．写真−１００（Ｐ１００）の再生時にオーディオ−１００（Ａ１００）がそれぞれ共に再生されるように設定されている。
【００５３】
以後、マスターデジタルフォトフレーム１１０を利用してユーザにより再生同期化命令が入力されると（Ｓ３１５−Ｙ）、マスターデジタルフォトフレーム１１０は、スレーブデジタルフォトフレーム１２０と通信できるように接続を設定する（Ｓ３２０）。
【００５４】
ステップＳ３２０での接続設定が完了すると、マスターデジタルフォトフレーム１１０は、ステップＳ３１０にて格納されたタイムラインとタイムラインに応じた再生に必要なコンテンツをスレーブデジタルフォトフレーム１２０に送信する（Ｓ３２５）。ここで、ステップＳ３２０での接続設定が完了すると、マスターデジタルフォトフレーム１１０は、ステップＳ３１０にて格納されたタイムラインとタイムラインとに応じた再生に必要なコンテンツのマスターデジタルフォトフレームでの位置情報をスレーブデジタルフォトフレーム１２０に送信できる。これにより、スレーブデジタルフォトフレーム１１０は、コンテンツの位置情報とタイムラインに応じてコンテンツ再生を行うことができる。
【００５５】
ステップＳ３２５にてマスターデジタルフォトフレーム１１０からスレーブデジタルフォトフレーム１２０にタイムライン＆コンテンツ送信が完了すると、マスターデジタルフォトフレーム１１０は、ステップＳ３１０にて格納されたタイムラインに応じてコンテンツ再生を行う（Ｓ３３０）。
【００５６】
そして、ステップＳ３３０が行われるうちに、スレーブデジタルフォトフレーム１２０もステップＳ３２５にて受信したタイムラインに応じてコンテンツ再生を行う（Ｓ３３５）。
【００５７】
ステップＳ３３０とＳ３３５にて、マスターデジタルフォトフレーム１１０とスレーブデジタルフォトフレーム１２０により行われるコンテンツ再生の基礎になるタイムラインは、同じものであるから、両者のコンテンツ再生は同期化されたといえる。
【００５８】
このような同期化された再生中に、マスターデジタルフォトフレーム１１０とスレーブデジタルフォトフレーム１２０との間には、操作命令が共有されるようにすることができる（Ｓ３４０）。
【００５９】
このとき、操作命令に応じた再生は、タイムラインに応じた再生より優先順位をおいて処理できる。そして、操作命令に応じた再生が完了した後、一定時間の間に他の操作命令がないと、再度タイムラインに応じた再生が行われるように処理できる。
【００６０】
マスターデジタルフォトフレーム１１０とスレーブデジタルフォトフレーム１２０との間の操作命令の共有についての詳細な説明は、図１に示す内容から類推可能なので省略する。
【００６１】
一方、スレーブデジタルフォトフレーム１２０は、ステップＳ３２５にて受信したタイムラインを格納する。これにより、スレーブデジタルフォトフレーム１２０は、今後にも格納されたタイムラインに応じてコンテンツを再生することができる。
【００６２】
したがって、本発明の再生同期化方法は、デバイス間にコンテンツの再生同期化のために、他のデバイスにコンテンツを直接提供することではなく、コンテンツの再生情報と関連したコンテンツ再生情報を提供することによって、コンテンツのリアルタイム再生同期化が可能でありうる。
【００６３】
＜３．携帯電話を利用したテキストコンテンツ生成＞
テキストコンテンツは、写真コンテンツの付加説明のためのテキストが収録されることができ、ユーザにより生成されうると前述したことがある。
【００６４】
このような、テキストコンテンツは、ユーザがマスターデジタルフォトフレーム１１０に表示されるテキスト入力用キーボード画面を利用して入力できることはもちろん、図４に示すように携帯電話１３０を介しても入力できる。
【００６５】
携帯電話１３０を利用したテキストコンテンツ生成時期に対する制限はない。再生同期化以前に生成されることが一般的ではあるが、再生同期化が始まった以後にも生成可能である。
【００６６】
図４には、再生同期化が始まった以後に、携帯電話１３０を利用したテキストコンテンツ生成を想定した。図４に示すように、マスターデジタルフォトフレーム１１０は、携帯電話１３０を介して生成されたテキストコンテンツを受信して、現在再生中である写真コンテンツに重ねて表示したことが分かる。
【００６７】
また、マスターデジタルフォトフレーム１１０は、このテキストコンテンツをスレーブデジタルフォトフレーム１２０に送信して、スレーブデジタルフォトフレーム１２０にも同じ写真コンテンツに同じテキストコンテンツを重ねて表示されるようにしたことが分かる。
【００６８】
一方、携帯電話を利用したテキストコンテンツの生成は、デバイスが電子書籍又は大型ディスプレイに適用されうることはもちろんである。
【００６９】
＜４．携帯電話を利用したオーディオコンテンツの生成＞
オーディオコンテンツは、写真コンテンツの付加説明のための音声が収録されることができ、ユーザにより生成されうると前述したことがある。
【００７０】
マスターデジタルフォトフレーム１１０にマイクロフォンがある場合、ユーザは、これを利用してオーディオコンテンツを生成することができる。仮に、マスターデジタルフォトフレーム１１０にマイクロフォンがないと、ユーザは、図５に示すように携帯電話１３０を利用してオーディオコンテンツを生成することができる。
【００７１】
携帯電話１３０を利用したオーディオコンテンツの生成時期に対する制限はない。再生同期化の以前に生成されることが一般的であるが、再生同期化が始まった以後にも生成可能である。
【００７２】
図５には、再生同期化が始まった以後に携帯電話１３０を利用したオーディオコンテンツの生成を想定した。図５に示すように、マスターデジタルフォトフレーム１１０は、携帯電話１３０を介して生成されたオーディオコンテンツを受信して、現在再生中である写真コンテンツと共に再生したことが分かる。
【００７３】
また、マスターデジタルフォトフレーム１１０は、このオーディオコンテンツをスレーブデジタルフォトフレーム１２０に送信して、スレーブデジタルフォトフレーム１２０にも同じ写真コンテンツと共に同じオーディオコンテンツが再生されるようにしたことが分かる。
【００７４】
一方、携帯電話を利用したオーディオコンテンツの生成は、デバイスが電子書籍又は大型ディスプレイに適用されうることはもちろんである。
【００７５】
＜５．コンテンツの削除＞
一方、以下では、マスターデジタルフォトフレームに格納されたコンテンツ削除命令が入力された場合におけるデバイス間の動作（図示せず）を説明する。
【００７６】
マスターデジタルフォトフレームに格納されたコンテンツの削除命令が入力された場合、マスターデジタルフォトフレームが入力された削除命令に従ってコンテンツを実際に削除し、マスターデジタルフォトフレームは、スレーブデジタルフォトフレームが削除命令に従ってコンテンツを削除するように、マスターデジタルフォトフレームがスレーブデジタルフォトフレームに削除命令を送信することができる。
【００７７】
一方、マスターデジタルフォトフレームに格納されたコンテンツの削除命令が入力された場合、マスターデジタルフォトフレームが入力された削除命令に従って、マスターデジタルフォトフレームに格納されたコンテンツは実際に削除せず、マスターデジタルフォトフレームは、スレーブデジタルフォトフレームが削除命令に従ってコンテンツを削除するように、マスターデジタルフォトフレームがスレーブデジタルフォトフレームに削除命令を送信することができる。換言すれば、コンテンツ削除命令の入力時にマスターデジタルフォトフレームではコンテンツが削除されないが、スレーブデジタルフォトフレームに格納されたコンテンツが削除される。
【００７８】
＜６．その他＞
上の実施の形態において、マスターデジタルフォトフレーム１１０とスレーブデジタルフォトフレーム１２０との間の再生同期化は、ユーザの再生同期化命令が入力された場合に開始されると想定した。しかしながら、これは、例示的なものに過ぎず、これと異なって具現することが可能である。
【００７９】
他の例として、ユーザがマスターデジタルフォトフレーム１１０の再生同期化機器としてスレーブデジタルフォトフレーム１２０を予め設定しておいた場合には、ユーザの再生同期化命令がなくても両者間の再生同期化がなされるように具現可能である。この場合は、マスターデジタルフォトフレーム１１０を介してユーザから「コンテンツ再生と関連した操作命令」や「タイムラインに応じた再生命令」の入力のみで、マスターデジタルフォトフレーム１１０とスレーブデジタルフォトフレーム１２０との間の再生同期化が行われる。
【００８０】
＜７．デバイスの詳細構成＞
＜７−１．デジタルフォトフレーム＞
図６は、マスターデジタルフォトフレーム１１０とスレーブデジタルフォトフレーム１２０との詳細ブロック図である。以下では、両者を「デジタルフォトフレーム」と通称する。
【００８１】
図６に示すように、デジタルフォトフレームは、コンテンツ再生部１０１、タッチスクリーン１０２、制御部１０３、格納部１０４及びネットワークインターフェース１０５を備える。
【００８２】
コンテンツ再生部１０１は、デジタルフォトフレーム本然の機能を担当するブロックであって、格納部１０４に格納されているコンテンツを再生する。
【００８３】
タッチスクリーン１３２は、コンテンツ再生部１０１で再生されるコンテンツとＧＵＩが表示されるディスプレイ手段の機能と、タッチを介したユーザ命令を入力される入力手段の機能を共に行う。
【００８４】
格納部１０４は、ネットワークインターフェース１０５を介して外部機器又は外部ネットワークから受信されるコンテンツが格納される格納空間を提供する。
【００８５】
ネットワークインターフェース１０５は、周辺の携帯電話１３０及び他のデジタルフォトフレームと通信できるように接続されることはもちろんであり、コンテンツが格納された外部機器又はコンテンツを提供する外部ネットワークとも通信できるように接続されることができる。
【００８６】
制御部１０３は、図１及び図２に示すステップが行われるように、コンテンツ再生部１０１、タッチスクリーン１０２、格納部１０４及びネットワークインターフェース１０５を制御する。
【００８７】
＜７−２．電子書籍＞
以下、マスター電子書籍とスレーブ電子書籍の構成について説明する。また、以下では、両者を「電子書籍」と通称する。
【００８８】
電子書籍は、コンテンツ再生部（図示せず）、タッチスクリーン（図示せず）、制御部（図示せず）、格納部（図示せず）及びネットワークインターフェース（図示せず）を備える。
【００８９】
コンテンツ再生部は、電子書籍本然の機能を担当するブロックであって、格納部に格納されているテキストコンテンツを再生する。
【００９０】
タッチスクリーンは、コンテンツ再生部で再生されるテキストコンテンツとＧＵＩが表示されるディスプレイ手段の機能と、タッチを介したユーザ命令が入力される入力手段の機能を共に行う。また、電子書籍のページをめくる場合、マスター電子書籍のテキストコンテンツを次のページにめくる場合、実際本のページがめくるような効果がスレーブ電子書籍のタッチスクリーンにディスプレイされうる。
【００９１】
格納部は、ネットワークインターフェースを介して外部機器又は外部ネットワークから受信されるテキストコンテンツが格納される格納空間を提供する。
【００９２】
ネットワークインターフェースは、周辺の携帯電話及び他の電子書籍と通信できるように接続されることはもちろん、テキストコンテンツが格納された外部機器又はテキストコンテンツを提供する外部ネットワークとも通信できるように接続されることができる。
【００９３】
制御部は、図１及び図２に示すステップが行われるように、コンテンツ再生部、タッチスクリーン、格納部及びネットワークインターフェースを制御する。
【００９４】
＜７−３．大型ディスプレイ（ＬＦＤ）＞
以下、マスター大型ディスプレイとスレーブ大型ディスプレイの構成について説明する。また、以下では、両者を「大型ディスプレイ」と通称する。
【００９５】
大型ディスプレイは、コンテンツ再生部（図示せず）、タッチスクリーン（図示せず）、制御部（図示せず）、格納部（図示せず）及びネットワークインターフェース（図示せず）を備える。
【００９６】
コンテンツ再生部は、大型ディスプレイ本然の機能を担当するブロックであって、格納部に格納されている広告コンテンツを再生する。
【００９７】
タッチスクリーンは、コンテンツ再生部で再生される広告コンテンツとＧＵＩが表示されるディスプレイ手段の機能と、タッチを介したユーザ命令が入力される入力手段の機能とを共に行う。
【００９８】
格納部は、ネットワークインターフェースを介して外部機器又は外部ネットワークから受信される広告コンテンツが格納される格納空間を提供する。
【００９９】
ネットワークインターフェースは、周辺の携帯電話及び他の大型ディスプレイと通信できるように接続されることはもちろんであり、広告コンテンツが格納された外部機器又は広告コンテンツを提供する外部ネットワークとも通信できるように接続されることができる。
【０１００】
制御部は、図１及び図２に示すステップが行われるように、コンテンツ再生部、タッチスクリーン、格納部及びネットワークインターフェースを制御する。
【０１０１】
＜７−４．携帯電話＞
図７は、携帯電話１３０の詳細ブロック図である。図７に示すように、携帯電話１３０は、移動通信部１３１、タッチスクリーン１３２、制御部１３３、格納部１３４及びネットワークインターフェース１３５を備える。
【０１０２】
移動通信部１３１は、携帯電話１３０本然の機能と付随的機能を担当するブロックであって、移動電話通話、ＳＭＳ、ＤＭＢ放送受信、撮影などを行う。
【０１０３】
タッチスクリーン１３２は、移動通信部１３１の移動電話通話、ＳＭＳ提供に必要な画面、ＤＭＢ放送、コンテンツ及び前述したＧＵＩがディスプレイされるディスプレイ手段の機能と、タッチを介したユーザ命令を入力される手段の機能を共に行う。
【０１０４】
タッチスクリーン１３２にディスプレイされるＧＵＩには、デジタルフォトフレームに送信するテキストコンテンツを生成するのに利用されるテキスト入力用キーボード画面が含まれる。
【０１０５】
格納部１０４は、携帯電話１３０の駆動に必要なプログラムとデータ及びコンテンツが格納される格納空間を提供する。
【０１０６】
ネットワークインターフェース１３５は、周辺のデジタルフォトフレームと通信できるように接続される。ネットワークインターフェース１３５は、ユーザにより生成されたテキストコンテンツとオーディオコンテンツとを周辺のデジタルフォトフレームに送信する。
【０１０７】
制御部１３３は、図１及び図２に示すステップが行われるように、移動通信部１３１、タッチスクリーン１３２、制御部１３３、格納部１３４及びネットワークインターフェース１３５を制御する。
【０１０８】
＜７−５．他のデバイス＞
本実施の形態で言及したデジタルフォトフレームと携帯電話１３０、電子書籍、大型ディスプレイ（ＬＦＤ）は、例示的なものにすぎない。これらは、他の種類のデバイスに代替可能である。
【０１０９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【０１１０】
１１０    マスターデジタルフォトフレーム
１２０    スレーブデジタルフォトフレーム
１０１    コンテンツ再生部
１０２、１３２    タッチスクリーン
１０３、１３３    制御部
１０４、１３４    格納部
１０５、１３５    ネットワークインターフェース
１３１    移動通信部
【図１】
2011045086.tif 000003
【図２】
2011045086.tif 000004
【図３】
2011045086.tif 000005
【図４】
2011045086.tif 000006
【図５】
2011045086.tif 000007
【図６】
2011045086.tif 000008
【図７】
2011045086.tif 000009